(57)【要約】【課題】従来技術の問題点を解決したファスナ装置を提供する。【解決手段】整合した孔を有する２枚のパネル（５）、（６）を接合するファスナ装置であり、保持装置（１）、貫通シャフト（２）、ゴムスリーブ（３）および端部キャップ（４）で構成する。保持装置にシャフトを貫通する。シャフト（２）の端部に取り付けたキャップ（４）によって軸方向に保持したシャフトの周囲にゴムスリーブを取り付ける。好ましくは、クリンチ形手段によって第１パネル（５）に予め組み立てておいたファスナ装置を取り付ける。シャフトヘッドを回動したときに、シャフト（２）が保持装置から引き出され、端部キャップと保持装置（１）ベース部との間でゴムスリーブ３を圧縮するように、シャフトヘッド下面と保持装置（１）の内側のカム面が相互作用する。これによって、ゴムスリーブの面積を拡大し、第２パネル（６）の裏面に締め付け作用を加える。このように、面積が拡大したゴムスリーブと保持装置ベース部との間で２枚のパネルが接合する。保持装置のカムランプに形成した一連の放射状溝がシャフト下面の突出部と相互作用し、回動時に多数の係合点を与える。このファスナ装置は、完全に組み立てた状態の一体形部材であり、パネルの標準的な孔に係合し、パネル厚みに応じてパネルを接合することができ、また耐振動性にすることができる。【選択図】図１
2004510922.tif 000002
【特許請求の範囲】
【請求項１】
整合した孔を形成した２枚のパネルを接合するファスナ装置において、
長手軸方向に形成したボアと、一端のベース部と、他端の開口部とを有する細長い保持装置と、
上記保持装置に一体化したカムであって、上記保持装置の開口部の周囲に、長手方向に延長するように放射状に設けた第１カムと、
一端にヘッドを備え、上記ボアを介して上記保持装置のベース部から突き出るシャフトと、
第１カムと摩擦係合し、上記シャフトのヘッドの下面から長手方向に延長する第２カムと、
上記シャフトの、上記保持装置のベース部から突き出る部分の周囲に設けた弾性スリーブであって、外径が上記ボアより大きく、上記ベース部に軸方向に当接する弾性スリーブと、そして
上記シャフトの第２端部に設けたキャップとを有し、
上記キャップが上記スリーブと当接した状態で、上記シャフトを回動し、上記保持装置の開口部から上記シャフトを後退させるとともに、上記弾性スリーブの面積を拡大し、上記ファスナ装置を第１パネルおよび第２パネルの整合孔に挿入したときに、シャフトの回動によって発生した面積拡大作用により、第２パネルの反対側に軸方向締め付け力を作用させるように構成したことを特徴とするファスナ装置。
【請求項２】
上記ベース部がさらに第１パネルに上記保持装置を締め付ける締め付け手段を有する請求項１記載のファスナ装置。
【請求項３】
第１カムが複数の放射状に延設した溝を有し、そして第２カムが長手方向に突き出た戻り止めを有し、これによって、この戻り止めがある溝内に位置したときに、上記ピンを異なる位置に選択的に保持する請求項１記載のファスナ装置。
【請求項４】
上記締め付け手段により、上記ファスナ装置を第１パネルの孔周囲に締め付ける請求項２記載のファスナ装置。
【請求項５】
上記締め付け手段が、第１パネルからの材料変形を受け取るクリンチ構造体である請求項４記載のファスナ装置。
【請求項６】
上記弾性スリーブをゴムで構成した請求項１記載のファスナ装置。
【請求項７】
それぞれ面当接する第１パネルおよび第２パネルであって、各パネルが他のパネルの少なくとも一つの孔と整合する少なくとも一つの孔を有する第１パネルおよび第２パネルと、そして２つのパネルの整合孔に挿入し、これら２枚のパネルを強制的に締め付けるファスナ装置とを有するパネル構造体において、
上記ファスナ装置が、
長手軸方向に形成したボアと、一端のベース部と、他端の開口部とを有する細長い保持装置と、
上記保持装置に一体化したカムであって、上記保持装置の開口部の周囲に、長手方向に延長するように放射状に設けた第１カムと、
一端にヘッドを備え、上記ボアを介して上記保持装置のベース部から突き出るシャフトと、
第１カムと摩擦係合し、上記シャフトのヘッドの下面から長手方向に延長する第２カムと、
上記シャフトの、上記保持装置のベース部から突き出る部分の周囲に設けた弾性スリーブであって、外径が上記ボアより大きく、上記ベース部に軸方向に当接する弾性スリーブと、そして
上記シャフトの第２端部に設けたキャップとを有し、
上記キャップが上記スリーブと当接した状態で、上記シャフトを回動し、上記保持装置の開口部から上記シャフトを後退させるとともに、上記弾性スリーブの面積を拡大し、上記ファスナ装置を第１パネルおよび第２パネルの整合孔に挿入したときに、シャフトの回動によって発生した面積拡大作用により、第２パネルの反対側に軸方向締め付け力を作用させるように構成されたことを特徴とするパネル構造体。
【請求項８】
第１カムが複数の放射状に延設した溝を有し、そして第２カムが長手方向に突き出た戻り止めを有し、これによって、この戻り止めがある溝内に位置したときに、上記ピンを異なる位置に選択的に保持する請求項７記載のパネル構造体。
【請求項９】
上記締め付け手段により、上記ファスナ装置を第１パネルの孔周囲に締め付ける請求項７記載のパネル構造体。
【請求項１０】
上記締め付け手段が、第１パネルからの材料変形を受け取るクリンチ構造体である請求項９記載のパネル構造体。
【請求項１１】
上記弾性スリーブをゴムで構成した請求項７記載のパネル構造体。
【請求項１２】
上記パネルを金属で構成した請求項１０記載のパネル構造体。
【請求項１３】
さらに、上記シャフトのヘッドに工具係合手段を有する請求項１記載のファスナ装置。
【請求項１４】
上記ベース部がさらに第１パネルに上記保持装置を締め付ける締め付け手段を有する請求項７記載のパネル構造体。
【発明の詳細な説明】
【０００１】
【発明の属する技術分野】
本発明は、２つのパネルやボードを迅速に接合または分離できるファスナ装置に関する。本発明は、特に、中心シャフトを３６０°未満回動し、ゴムスリーブの軸方向の圧縮、その後の径方向の膨張により接合作用を与えるファスナ装置に関する。
【０００２】
【従来の技術】
古くから、迅速に操作できるパネルファスナ装置が望まれている。この迅速に操作できるパネルファスナ装置は、迅速かつ簡単にパネルを接合でき、かつ分離できるように２枚のパネルを平行に接合固定するファスナ装置である。また、接合作用も強く望まれている。このような目的を全体として達成するファスナ装置には多くのタイプがあるが、いずれもコスト、応用範囲、接合作用の不足などに関して特有な限界がある。あるファスナ装置の場合、エンドユーザが接合対象パネルに第２の成分を取り付ける必要がある。あるいは、多数の成分を最初に組み立てる必要がある。すなわち、使用が簡単な単一成分の形かつ低コストで、接合作用を与える、迅速に操作できるパネルファスナ装置が依然として望まれている。迅速に操作できるファスナ装置に関してはいくつかのタイプが開発されているが、いずれも所望の性能をすべてもつものではない。
【０００３】
現在までに市販されているファスナ装置としては、単一成分装置として市販されているＣａｍｌｏｃ社のファスナ装置があるが、形状の一定しないファスナ装置取り付け孔を２枚のパネルに形成する必要があり、これら孔は穿孔加工できないため、何度も打撃を加えるか、特殊なパンチ工具を使用しなければ加工できない。また、パネルに挿入する前に、ファスナ装置を整合操作し、次にこれ回動し、パネルを接合する必要がある。
【０００４】
また、Ｓｏｕｔｈｃｏ（登録商標）社の製品である“Ｆｒａｃｔｉｏｎａｌ−ｔｕｒｎ　Ｆａｓｔｅｎｅｒ”シリーズ２０および５０の場合、２つのカムとひとつのスタッドを供えたゴムスリーブを使用している。このファスナ装置には、他のタイプのファスナ装置と同様な大きな問題がある。すなわち、エンドユーザが組み立てる必要がある。
【０００５】
また、Ｐａｎｅｌｏｃ社の製品であるＢＩ−ＦＩＸ ｑｕａｒｔｅｒ−ｔｕｒｎファスナ装置の場合、５つの成分を有し、その一部を用途に応じて特化し、耐振動性の再使用可能なファスナ装置を構成できるようにしている。この装置の場合、さらに、さまざまな用途に特化するために各種の成分が必要である。
【０００６】
また、ＤＺＵＳ社の、５つの成分からなる標準的な製品である１／４回転ファスナ装置の場合、スタッドと、第１パネルに接合するグロメットと、第２パネルに接合する、２つのリベットをもつバネとを有する。さらに、ＤＺＵＳ社はいくつかの異なる製品を販売しているが、いずれも多数のまだ組み立てていない成分を有するものである。
【０００７】
多くの問題を解決するために利用できる多種多様な、迅速に操作できるファスナ装置や１／４回転ファスナ装置には、いずれも多くの欠点が認められる。
【０００８】
【発明が解決しようとする課題】
本発明の目的は、クリンチングやフレアリングなどのよく知られた方法によって第１パネルに接合固着できる予め組み立てられた一体形ファスナ装置を提供することである。この理由から、ＤＦＭＡ（製造組み立て設計）がすぐれている。すなわち、本発明は、従来技術が対処できない多数の問題を解決するものである。
【０００９】
【課題を解決するための手段】
上記課題を解決する本発明は、上部保持装置、貫通シャフト、ゴムスリーブおよび端部キャップを有するファスナ装置を提供するものである。この保持装置には、シャフトヘッドの下面の対応するカムランプと係合するカムランプを半径方向に設ける。締め付けシャフトは保持装置を貫通し、シャフトの端部に取り付けたキャップによって軸方向に保持された締め付けシャフトの周囲にゴムスリーブを取り付ける。シャフト、保持装置、ゴムスリーブおよび端部キャップで構成したファスナ装置は、ゴムスリーブを第２パネルに通した状態で、好ましくはクリンチ形手段によって第１パネルに取り付ける。シャフトヘッドを工具で回動すると、ヘッドと保持装置との間にカム作用が働き、シャフトを保持装置から軸方向に引き出し、端部キャップと保持装置ベース部との間でゴムスリーブを圧縮する。圧縮作用を受けたゴムスリーブは面積が拡大し、締め付け作用を第２パネルの裏面に加える。よって、２つのパネルは、ゴムスリーブの拡張領域と保持装置ベース部の間に捕捉される。シャフトが回動している間、保持装置のカムランプに設けた一連の放射状溝が、シャフトの対応するカムランプ下面の一つの半径方向突起部と係合して作用し、回動時に多数の戻り止めまたは戻り止め点を与える。このように多数の戻り止めを使用すると、パネルの厚み変動に対処でき、締め付け力の量を制御することによって、性能を大幅に改善できる。
【００１０】
【発明の実施の形態】
以下、添付図面について発明の実施の形態を説明する。図１および図２に、接合していない状態にあるパネル、即ち保持装置１の底部にパネル５を設けた状態を示す。保持装置１の可能な限り低い点にシャフトを設け、ゴムスリーブ３を応力のない緩和状態に置く。予め組み立てておいたファスナ装置を、クリンチ、接着剤、あるいは図９に示すクリンチ８などの他の同様な方法によってトップパネル５に永久接合する。ボトムパネル６は接合されていない状態にあり、この状態では、ファスナ装置およびトップパネルは、ボトムパネル６から自由に取り外すことができる。ボトムパネル６に要求される唯一の条件は、丸孔の形成である。シャフトはスロット７などの作用手段を有するが、スロットの代わりに六角形の（内側または外側）ウイング、ローレット、ハンドルその他の同様な手段も使用可能である。
【００１１】
シャフトを回すと、ヘッド下面がシャフトを保持装置の開口から外側に押出され、連動するランプがヘッド下面および保持装置の内側にカム作用を加える。この結果、ゴムスリーブ３が端部キャップと保持装置ベース部との間で圧縮され、スリーブ直径が拡大し、第２パネルの裏面にスリーブの面積拡大領域が押圧される。このようにして、図５に示すように、締め付け作用が得られる。ゴムスリーブ３を所定位置に保持する端部キャップ４は、各種の手段によってシャフト２に取り付けることができる。図示の場合は、圧嵌め１１であり、これによって端部キャップ４の適当な大きさの孔に締まり嵌めすることができる。
【００１２】
図３および図４について説明すると、ファスナ装置は、保持装置１、シャフト２、ゴムスリーブ３および端部キャップ４の４つの部材からなる装置である。この例では、シャフト２を回すと、保持装置１に上方にカム作用が加わるようにシャフト２を保持装置１に設ける。シャフト２に、ゴムスリーブ３を設け、端部キャップ４によって所定位置に保持する。端部キャップ４は、クリンチ、圧嵌めその他の同様な方法によってシャフト２に永久接合する。
【００１３】
次に図６および図７に、本発明のシャフト部材を独立して示す。このシャフトは、作用手段７をもつバレル形ヘッドを有する。ヘッド下面に、カムランプ９Ａを有し、このカムランプの戻り止め１０をカムランプに突出形成している。シャフトの端部に圧嵌めスタブ１１を設ける。図７は、上記シャフト部材の側面図である。
【００１４】
図８〜１０は、保持装置の詳しい図面である。図８は、保持装置１の上から見た図である。貫通孔１３から外側放射状に一連の溝１２を形成する。ゴムスリーブ３を圧縮した状態で、戻り止め（図６および図７の部材１０）を保持するように、保持装置１のランプ９Ｂに溝１２を配設する。図９は、ランプ９Ｂに溝１２を配設する方法を示す側面図である。また、図９には、トップパネルにファスナ装置を永久接合する好ましい手段であるクリンチ８も示す。
【００１５】
【発明の効果】
本発明は、従来技術に比較して数多くの作用効果がある。シートの厚みに応じて締め付け作用を変えることができる。さらに、低コスト、一体形装置の作用効果に加えて、標準的な丸孔を使用でき、パネルに永久接合でき、耐振動性にできる作用効果もある。
以上のようにして、本発明の目的を実現することができる。本発明のファスナ装置は、使用が簡単で、組み立ての必要のない一体形装置として提供できる。さらに、ファスナ装置は、パネルに永久接合できるため、ロックした状態およびロックしていない状態にいずれにおいても、接合されていない部材は存在せず、また２つの形成が簡単な丸孔に挿入できる。これら丸孔の形成に特殊な工具は必要ない。すなわち、丸孔は、標準的な工具でパンチかドリルにより簡単に形成できる。また、ゴムは使用中圧縮状態にあるため、ファスナ装置により常に締め付け作用が得られる。この締め付け作用量は、シャフトの回す量で調節できる。
【００１６】
以上の説明から当業者には自明なように、本発明では各種の変更や態様が可能であるが、本発明の要旨は、特許請求の範囲における記載およびその特許法からみて等価な記載によってのみ制限されるものである。
【図面の簡単な説明】
【図１】
２枚のパネルを接合保持した状態を示す、本発明の側面図である。
【図２】
図１に示した装置を上からみた左等角投影図である。
【図３】
２枚のパネルとともに、本発明装置の各部を示す図である。
【図４】
２枚のパネルとともに、本発明装置を上からみた右等角投影図である。
【図５】
締め付け作用をパネルに加えるように締め付けた状態を示す本発明装置の側面図である。
【図６】
本発明のシャフト部材を下からみた右後方等角投影図である。
【図７】
本発明の保持装置を示す正面図である。
【図８】
本発明の保持装置を示す上面図である。
【図９】
本発明の保持装置を示す側面図である。
【図１０】
本発明の保持装置を上からみた、右等角投影図である。
【符号の説明】
１：保持装置
２：シャフト
３：ゴムスリーブ
４：端部キャップ
５：トップパネル
６：ボトムパネル
７：スロット
８：クリンチ
９Ａ：カムランプ
１０：戻り止め
１１：圧嵌めスタブ
１２：溝
【国際公開パンフレット】
2004510922.tif 000003
2004510922.tif 000004
2004510922.tif 000005
2004510922.tif 000006
2004510922.tif 000007
2004510922.tif 000008
2004510922.tif 000009
2004510922.tif 000010
2004510922.tif 000011
2004510922.tif 000012
2004510922.tif 000013
2004510922.tif 000014
2004510922.tif 000015
2004510922.tif 000016
【国際公開パンフレット（コレクトバージョン）】
2004510922.tif 000017
【国際調査報告】
2004510922.tif 000018